(57)【要約】      （修正有）【課題】通信中の相手との通話中に、簡単な操作で、近傍に存在する他の電話機を当該通信中の通話に参加させることができる電話装置を提供する。【解決手段】ネットワーク３を介して相手端末４との通信中に特定操作が為された場合に、無線タグリーダ２３は、近傍に存在する電話機５に装着された無線タグ５１からタグ情報を読み取り、ローカル通信部２０は、電話機５とローカル通信を開始し、電話機５からと送話回路１８からの音声データをミキシングして相手端末４へ送信し、相手端末４からの受話音声データをローカル通信により電話機５へ転送する。【選択図】図１
2010200028.tif 000002
【特許請求の範囲】
【請求項１】
ネットワークを介して通信相手と音声信号を授受する電話装置において、
自電話装置の近傍に存在する無線タグ又はバーコードから他電話装置を特定するタグ情報を読み取るタグ情報読取手段と、他電話装置と前記ネットワークを介さないで通信するローカル通信手段と、ネットワークを介して通信相手へ送信する音声信号を制御する送信制御手段を有し、
ネットワークを介した通信中に予め定められた特定操作が為された場合に、前記タグ情報読取手段は、自電話装置の近傍に存在する無線タグ又はバーコードからタグ情報を読み取り、前記ローカル通信手段は、前記タグ情報読取手段が読み取ったタグ情報に対応する他電話装置とローカル通信を開始し、前記送信制御手段は、前記ローカル通信により受信する前記他電話装置からの音声信号と自電話装置からの音声信号をミキシングしてまたは切り替えて当該通信中の通信相手へ送信することを特徴とする多者通話機能を有する電話装置。
【請求項２】
ネットワークを介して通信相手と音声信号を授受する電話装置において、
自電話装置の近傍に存在する無線タグ又はバーコードから他電話装置を特定するタグ情報を読み取るタグ情報読取手段と、他電話装置と前記ネットワークを介さないで通信するローカル通信手段と、ネットワークを介して通信相手から受信する音声信号を転送制御する転送制御手段を有し、
ネットワークを介した通信中に予め定められた特定操作が為された場合に、前記タグ情報読取手段は、自電話装置の近傍に存在する無線タグ又はバーコードからタグ情報を読み取り、前記ローカル通信手段は、前記タグ情報読取手段が読み取ったタグ情報に対応する他電話装置とローカル通信を開始し、前記転送制御手段は、前記通信相手から受信する音声信号を前記ローカル通信により前記他電話装置へ転送することを特徴とする多者通話機能を有する電話装置。
【発明の詳細な説明】
【技術分野】
【０００１】
本発明は、通信中の相手との通話中に、近傍に存在する他の電話機を当該通話に参加させることができる電話装置に関する。
【背景技術】
【０００２】
ボタン電話システムや構内電話システム（ＰＢＸ）等の内線電話システム、又は電話会議システムにおいて、２台以上の電話機を使用して電話会議を行う技術がある（例えば特許文献１）。
【０００３】
しかしながら、特許文献１に記載された技術では、事前に電話会議を行うための設定やダイヤルを押下する等、設定や操作が煩雑で面倒であった。また、電話会議に係る専用の装置が必要になるため、設備コストも無視できない。
【先行技術文献】
【特許文献】
【０００４】
【特許文献１】特開２００２−４４２６３号公報
【発明の概要】
【発明が解決しようとする課題】
【０００５】
本発明の課題は、通信中の相手との通話中に、簡単な操作で、近傍に存在する他の電話機を当該通信中の通話に参加させることができる電話装置を提供することにある。
【課題を解決するための手段】
【０００６】
上記課題を解決するために、本発明は、ネットワークを介して通信相手と音声信号を授受する電話装置において、自電話装置の近傍に存在する無線タグ又はバーコードから他電話装置を特定するタグ情報を読み取るタグ情報読取手段と、他電話装置と前記ネットワークを介さないで通信するローカル通信手段と、ネットワークを介して通信相手へ送信する音声信号を制御する送信制御手段を有し、ネットワークを介した通信中に予め定められた特定操作が為された場合に、前記タグ情報読取手段は、自電話装置の近傍に存在する無線タグ又はバーコードからタグ情報を読み取り、前記ローカル通信手段は、前記タグ情報読取手段が読み取ったタグ情報に対応する他電話装置とローカル通信を開始し、前記送信制御手段は、前記ローカル通信により受信する前記他電話装置からの音声信号と自電話装置からの音声信号をミキシングしてまたは切り替えて当該通信中の通信相手へ送信することを特徴とする。
【０００７】
また、本発明は、ネットワークを介して通信相手と音声信号を授受する電話装置において、自電話装置の近傍に存在する無線タグ又はバーコードから他電話装置を特定するタグ情報を読み取るタグ情報読取手段と、他電話装置と前記ネットワークを介さないで通信するローカル通信手段と、ネットワークを介して通信相手から受信する音声信号を転送制御する転送制御手段を有し、ネットワークを介した通信中に予め定められた特定操作が為された場合に、前記タグ情報読取手段は、自電話装置の近傍に存在する無線タグ又はバーコードからタグ情報を読み取り、前記ローカル通信手段は、前記タグ情報読取手段が読み取ったタグ情報に対応する他電話装置とローカル通信を開始し、前記転送制御手段は、前記通信相手から受信する音声信号を前記ローカル通信により前記他電話装置へ転送することを特徴とする。
【発明の効果】
【０００８】
本発明によれば、通話中の通話に参加させたい近傍の電話機の無線タグ又はバーコードからタグ情報を読み込むので、ダイヤル操作を含む複雑なキー操作が不要となる利点がある。また、電話会議に係る専用の設備を使わないので経済的である。
【図面の簡単な説明】
【０００９】
【図１】本発明の実施形態に係る全体構成図
【図２】本発明による電話装置１の動作フローチャート
【発明を実施するための形態】
【００１０】
以下、本発明の実施形態について図面を用いて説明する。図１は、本発明に係る多者通話機能を有する電話装置（以下本装置）を含む全体構成図であって、１は本装置、２は電話回線、３は電話ネットワーク、４は通話中の相手端末、５は本装置の近傍に存在する携帯電話機、５１は携帯電話機５に装着された無線タグである。ここで、携帯電話機５は例示であって、通常の固定電話機であってもよい。また無線タグ５１は携帯電話機５の近傍に存在していればよく、携帯電話機５に装着されていなくてもよい。
【００１１】
携帯電話機５は、携帯電話ネットワークや構内無線ネットワーク（図示せず）を介して無線通信する無線電話機であって、ネットワークを介した通信機能に加え、ネットワークを介さないで直接的に通信するローカル通信機能を具備する。例えば、携帯電話機における微弱無線や赤外線による近距離通信機能や、無線ＬＡＮ端末におけるアドホックモードや、ＰＨＳ端末におけるトランシーバモード等がこのローカル通信機能に相当する。
【００１２】
本装置１の内部ブロックにおいて、１１は電話回線２を介して通信するための回線対応部、１２は回線対応部１１とローカル通信部２０に係る通信制御部、１３は端末全体を制御する端末制御部、１４は受信した音声データを再生する受話回路、１５はハンドセット（図示せず）または本体に実装されたスピーカ、１６はＬＣＤやＬＥＤ等から成る表示部、１７はハンドセット（図示せず）または本体に実装されたマイク、１８はマイク１７から入力した音声を音声データに変換して送出する送話回路、１９は複数の音声データをミキシングするミキシング回路、２０はネットワークを介さないローカル通信を実行するローカル通信部、２１はテンキーやファンクションキーやタッチパネル等（図示せず）から成るキー操作部、２２はキー操作部２１から入力された特定のキー操作を検出する特定操作検出部、２３は近傍に存在する無線タグに記憶されているタグ情報を読み取る無線タグリーダである。
【００１３】
無線タグ５１にはローカル通信を実行するのに必要な情報が記憶されている。例えば、携帯電話機５が無線ＬＡＮ端末であって、ローカル通信機能としてアドホックモードを利用する場合、携帯電話機５のＭＡＣアドレス（Ｍｅｄｉａ  Ａｃｃｅｓｓ  Ｃｏｎｔｒｏｌ  ａｄｄｒｅｓｓ）がタグ情報に含まれて無線タグ５１に記憶されている。
【００１４】
なお、本実施例の無線タグリーダ２３及び無線タグ５１はバーコードリーダ及びバーコードであってもよい。また、電話回線２は、通常のアナログ電話回線やＩＳＤＮ回線だけでなく、ＩＰ（Ｉｎｔｅｒｎｅｔ  Ｐｒｏｔｏｃｏｌ）回線であってもよい。
【００１５】
図２は本装置１の動作フローチャートである。以下、図１と図２を併用して、本発明における、通話中の相手端末４と本装置１との間の通信中に、他の電話装置として携帯電話機５を参加させる処理について説明する。
【００１６】
本フローは通話中の状態からスタートする（Ｓ２００）。本装置１の操作者が通話中にキー操作部２１を特定操作すると（例えば“＃○○”を押下）、特定操作検出部２２がその特定操作を検出し（Ｓ２０１，ＹＥＳ）、端末制御部１３内のタイマ（図示せず）を起動する（Ｓ２０２）と共に、無線タグリーダ２３をＯＮにする（Ｓ２０３）。
【００１７】
無線タグリーダ２３が近傍に存在する無線タグ５１からタグ情報を読込むと（Ｓ２１０，ＹＥＳ）、端末制御部１３は無線タグリーダ２３をＯＦＦにし（Ｓ２１１）、多者通話モードに係る情報を表示部１６に表示する（Ｓ２１２）。例えば、読込んだタグ情報から電話機を特定し、「○○氏の電話機を本通話に参加させますか？」のようなメッセージを表示する。そして、操作者から多者通話モード開始要求操作（例えば“＃”押下）があると（Ｓ２２０，ＹＥＳ）、読込んだタグ情報を使用してローカル通信を起動する（Ｓ２２１）。
【００１８】
なお、無線タグリーダ２３の読み取り範囲が狭い場合（例えば数センチ）、無線タグ５１を本装置１の無線タグリーダ２３が装着された部位に近接またはタッチする必要があり、この近接またはタッチの動作自体で多者通話モードへの移行意思ＯＫと判断しＳ２２０の判断を省略してもよい。または、無線タグリーダ２３の読み取り範囲が広く（例えば数ｍ）、複数の無線タグからのタグ情報を読み込んでしまった場合に、Ｓ２２０で特定のデータを指定するようにしてもよい。
【００１９】
タグ情報を読取れない場合（Ｓ２１０，ＮＯ）、一定期間（例えば１分程度）が経過するタイムアウト前（Ｓ２３０，ＮＯ）であればＳ２１０に戻り、タイムアウト後（Ｓ２３０，ＹＥＳ）であれば、タグリーダをＯＦＦして（Ｓ２３１）、Ｓ２５０に進む。
【００２０】
Ｓ２２１で、端末制御部１３がローカル通信の起動を通信制御部１２に指示すると、通信制御部１２は回線対応部１１を介した現通信を維持したまま、ローカル通信部２０を起動する。起動されたローカル通信部２０は無線タグリーダ２３が読み取ったタグ情報に含まれるローカル通信を実行するのに必要なデータ（例えば、無線ＬＡＮアドホックモードに必要なＭＡＣアドレス）を通信制御部１２または端末制御部１３から取得し、ローカル通信を開始する。そして、本装置１と携帯電話機５とのローカル通信が開始され、ローカル通信が成立すると（Ｓ２４０，ＹＥＳ）、多者通話モードに移行する（Ｓ２４１）。ローカル通信が不成立であれば（Ｓ２４０，ＮＯ）、ローカル通信を停止して（Ｓ２４２）、Ｓ２５０に進む。
【００２１】
Ｓ２４１で、多者通話モードに移行すると、ローカル通信部２０は携帯電話機５からの音声データをミキシング回路１９に送り、ミキシング回路１９は本装置の送話回路１８からの音声データと携帯電話機５からの音声データをミキシングして、通信制御部１２と回線対応部１１を介して、送話音声データを通話中の相手端末４に送信する。
【００２２】
逆に、通話中の相手端末４からの受話音声データは、通信制御部１２により、本装置１のスピーカ１５で再生するために受話回路１４に転送されると共に、ローカル通信部２０にもコピー転送される。そして、ローカル通信部２０は通話中の相手端末４からの受話音声データをローカル通信により携帯電話機５へ転送する。この結果、通話中の相手端末４から見て、本装置１と携帯電話機５はブランチ接続された状態となり、３者通話が可能となる。
【００２３】
なお、詳細な説明は省略するが、Ｓ２００の通話中の状態が、３者通話の状態で図２のフローを繰り返せば、３者以上の通話モードを実現できる。また、多者通話モードにおいて、本装置１とブランチの関係となる携帯電話機５は相手端末４からの音声データを受話するだけのモードとしてもよい（モニタモード）。逆に、携帯電話機５からの送話音声データのみをミキシングして相手端末４に送信するだけのモードとしてもよい（被モニタモード）。さらに、ミキシング回路１９を送話切り替えスイッチに置き換えて、特定操作（例えば“＊”押下）毎に送話音声データを切り替えるようにしてもよい（図示せず）。
【００２４】
通話中の相手端末４との通話が終了すると（Ｓ２５０，ＹＥＳ）、電話回線２との回線接続および携帯電話機５とのローカル通信接続を切断して（Ｓ２５１）、本フローは終了する（Ｓ２６０）。
【００２５】
ところで、図１において、本装置１が固定電話機で、本装置１とローカル接続される他電話機が携帯電話機であった場合を例に説明したが、本装置１および本装置１とローカル接続される他電話機は、机上に設置された固定電話機または携帯電話機のいずれであってもよい。本装置１とローカル接続される他電話機のいずれかが携帯電話機であった場合は、携帯電話機側を他方の電話機に近づければ、無線タグリーダ２３は無線タグ５１からタグ情報を読み取れる。
【００２６】
本装置１が机上に設置された固定電話機であった場合は、無線タグリーダ２３を伸縮可能なカールコードで接続されたハンドセット（図示せず）に装着すれば、近傍の電話機の傍へハンドセットを近づけて無線タグ５１のタグ情報を読み取ることが可能となる。
【００２７】
また、本装置１とローカル接続される他電話機が机上に設置された固定電話機であった場合は、伸縮可能なカールコードで接続されたハンドセット（図示せず）に無線タグ５１を装着すれば、本装置１の所定の部位に実装された無線タグリーダ２３に他電話機のハンドセットを近づければ、無線タグ５１のタグ情報を読み取ることが可能となる。
【００２８】
以上説明した通り、本発明によれば、通話中に特定操作して他電話機に装着された無線タグと無線タグリーダを近接させるまたはタッチするという簡単な操作で、他電話機と本装置１をブランチ接続した３者通話または３者以上の多者通話を実行できるので、操作性に優れていると共に、ダイヤル操作等の押し間違いもない。
【００２９】
ところで、本発明の実施形態として図１に示すような電話ネットワーク３に繋がる電話装置を例に説明したが、本発明はこれに限定されない。例えば、回線対応部１１と接続される回線は、構内交換装置（ＰＢＸ）やボタン電話主装置の内線であってもよい。
【符号の説明】
【００３０】
１・・・本発明に係る多者通話機能を有する電話装置
１１・・・回線対応部
１２・・・通信制御部
１３・・・端末制御部
１４・・・受話回路
１５・・・スピーカ
１６・・・表示部
１７・・・マイク
１８・・・送話回路
１９・・・ミキシング回路
２０・・・ローカル通信部
２１・・・キー操作部
２２・・・特定操作検出部
２３・・・無線タグリーダ
２・・・電話回線
３・・・電話ネットワーク
４・・・通話中の相手端末
５・・・本装置の近傍に存在する携帯電話機
５１・・・携帯電話機５に装着された無線タグ
【図１】
2010200028.tif 000003
【図２】
2010200028.tif 000004